【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
ボディの内圧の測定の誤差を低減する光学系を備えた圧平眼圧計システムの使用であって、
前記誤差は、前記ボディのシェルの一部分に存在する流体層に起因し、前記シェルの前記一部分は、前記光学系に接触し、前記光学系は、前記測定中に前記ボディの表面に接触させられるように構成され、前記ボディの前記表面との間で光を行き来させるように構成された、湾曲した前面を有する光学的に透明な部材を含み、前記シェルは前記ボディの内部ボリュームを取り囲み、
前記使用は、
前記湾曲した前面の軸上部分を前記シェルの前記一部分に押し付けて、前記シェルに力を印加し、前記湾曲した前面と前記シェルの前記一部分との間に第１の接触表面積を画定し、前記軸上部分は前記光学的に透明な部材の長手軸に対して中心合わせされている、前記押し付けるステップと、
前記湾曲した前面を２回横切り、前記第１の接触表面積から反射した光で形成された光学画像に基づいて前記内圧の値を評価するステップと、を含み、
前記押し付けるステップが、前記湾曲した前面が平らでないことの結果として、前記前面と前記シェルの前記一部分との間の平均接触角度を約２０度から約３５度の範囲内に保つ間に行われる、ことを特徴とする、
前記圧平眼圧計システムの使用。
【請求項２】
前記誤差は、前面が平らな別の光学的に透明な部材を使用して実施される、前記ボディの前記内圧の前記測定の対応する誤差のほぼ２倍の小ささである、ことを特徴とする、請求項１に記載の前記圧平眼圧計システムの使用。
【請求項３】
以下の条件、即ち、
ａ）前記光学系は更に、前記湾曲した前面を有する前記光学的に透明な部材に関連付けられた光学プリズムの系を含み、前記光学プリズムは、互いに対して空間的に別個である２つの画像部分を含む前記光学画像を形成するように配置されており、前記画像部分の対応する端部同士が接触するか重なり合うのは、前記光学的に透明な部材の軸と前記シェルの前記一部分の軸とが重なった場合だけであること、並びに
ｂ）前記光学的に透明な部材の前記湾曲した前面は、前記光学的に透明な部材の軸に対して回転対称であること、並びに
ｃ）前記シェルの前記一部分と、前記ボディの前記内圧の前記測定中に前記シェルの前記一部分と接触している、光学的に透明な部材の表面との間の前記流体層に起因する平均毛細管力が、前記湾曲した前面を有する前記光学的に透明な部材を使用することの結果として、平らな前面を有する別の光学的に透明な部材を同じ測定条件下で使用する場合と比較して少なくとも約４１パーセント低減されること、
のうちの少なくとも１つが満たされる、ことを特徴とする、請求項１及び２のいずれか一項に記載の前記圧平眼圧計システムの使用。
【請求項４】
前記湾曲した前面が、
前記軸上部分を円周方向に取り巻き、前記軸上部分と接線方向に融合する、周辺部分を含み、及び又は、
前記長手軸に対して回転対称である、
ことを特徴とする、請求項１〜３のいずれか一項に記載の前記圧平眼圧計システムの使用。
【請求項５】
前記湾曲した前面は周辺部分を含み、前記周辺部分は、前記軸上部分を円周方向に取り巻き、前記軸上部分と接線方向に融合し、
以下の条件、即ち、
（ｉ）前記軸上部分の曲率の正負と前記周辺部分の曲率の正負とが互いに反対であること、並びに
（ｉｉ）前記軸上部分の曲率の正負が前記シェルの前記一部分の曲率の正負と同じであること
のうちの少なくとも１つが満たされる、
ことを特徴とする、請求項１〜４のいずれか一項に記載の前記圧平眼圧計システムの使用。
【請求項６】
前記方法は更に、
前記押し付けるステップの間に、前記流体層の存在に起因して、
前記シェルの前記一部分と前記湾曲した前面との間に毛細管力を形成することを含み、前記毛細管力は、前記シェルの前記一部分と前記湾曲した前面との間の前記流体層のメニスカスにわたって平均された場合に約０．００２４Ｎを超えず、及び又は、
前記シェルの前記一部分と前記湾曲した前面との間に第１の毛細管力を形成することを含み、前記第１の毛細管力は、同じ測定条件下で、別の光学的に透明な部材の平らな前面を前記シェルの前記一部分に押し付けている間に、前記平らな前面と前記シェルの前記一部分との間の前記液体層の存在に起因して形成される第２の力より約３０パーセントから約４５パーセント小さい、
請求項１〜５のいずれか一項に記載の前記圧平眼圧計システムの使用。
【請求項７】
ターゲットボディの内部ボリュームを取り囲む弾性変形可能なシェルを有する前記ターゲットボディの内圧を測定する方法であって、前記ターゲットボディは眼であり、請求項１で定義される前記光学系を備えた圧平眼圧計システムを用いる、前記方法であって、
前記方法は、
流体層を載せている第１の光学的に透明な部材の前面の軸上部分を前記シェルの一部分に押し付けて、前記シェルに力を印加し、前記前面と前記シェルとの間に第１の接触表面積を画定するステップと、
前記第１の光学的に透明な部材を２回透過して前記シェルから反射した光で前記第１の接触表面積の第１の光学画像を形成するステップであって、前記第１の光学画像は、互いに実質的に切り離されている第１及び第２の画像部分を含む、前記形成するステップと、
前記力を調節して、前記第１及び第２の部分の隣接する端部同士が接触するか重なり合う条件を達成するステップと、を含み、
前記第１の光学的に透明な部材は長手方向部材軸を有し、前記シェルの前記一部分はシェル軸を有し、
前記軸上部分は前記長手方向部材軸に対して軸方向に中心合わせされ、前記シェルの前記一部分は前記シェル軸に対して軸方向に中心合わせされ、
前記条件が達成されるのは、前記長手方向部材軸と前記シェル軸とがほぼ重なった場合だけであり、
前記押し付けるステップが、前記湾曲した前面が平らでないことの結果として、前記前面と前記シェルの前記一部分との間の平均接触角度を約２０度から約３５度の範囲内に保つ間に行われる、ことを特徴とする、
方法。
【請求項８】
前記調節するステップの結果として前記第１の接触表面積を可逆的に変化させるステップを更に含み、前記シェルの前記一部分は光学的に透明である、
請求項７に記載の方法。
【請求項９】
前記隣接する端部同士が接触するか重なり合った時点で、前記第１の光学画像を使用して、前記内圧の第１の値を算出するステップであって、前記算出された第１の値は、基準値より小さい第１の誤差を含む、前記算出するステップを更に含み、
前記基準値は、平らな前面を有する第２の光学的に透明な部材を使用して、前記押し付けるステップ、前記形成するステップ、及び前記調節するステップを実施することによって前記内圧が測定される場合に、シェル剛性、シェル厚、シェル曲率、前記長手方向部材軸と前記シェル軸との間の位置合わせずれ、及び前記湾曲した前面と前記シェルの前記一部分との間に流体層が存在することの少なくともいずれかに起因する第２の誤差の値である、
請求項７又は８に記載の方法。
【請求項１０】
前記第１の誤差と前記基準値との差の原因が、前記流体層によって引き起こされた毛細管力が、前記湾曲した前面と前記シェルの表面との間に或る接触角度が形成された結果として最大４５％低減されることであって、前記接触角度が約２０度から約３０度の範囲にあること、に少なくとも部分的に起因する、請求項９に記載の方法。
【請求項１１】
前記第１の光学部材の前記前面は更に、第３の曲率を有する周辺領域を含み、前記第３の曲率は、曲率の前記第１の正負とは反対の、曲率の第３の正負を有する、請求項１０に記載の方法。
【請求項１２】
前記周辺領域は、前記軸上領域を円周方向に取り巻き、前記前面に画定された閉曲線に沿って前記軸上領域と接線方向に融合する、請求項１１に記載の方法。
【請求項１３】
湾曲した前面を有する光学的に透明な部材を使用してボディの内圧の測定の誤差を低減する方法であって、前記誤差は、前記ボディの表面に存在する流体層に起因し、前記ボディは、前記ボディの内部ボリュームを取り囲むシェルを有し、前記測定は、請求項７に記載の各ステップを含み、更に、前記湾曲した前面を２回横切り、前記第１の接触表面積から反射した光で形成された光学画像に基づいて前記内圧の値を評価するステップを含むことを特徴とする、
方法。
【請求項１４】
前記内圧の導出された値は前記誤差によって特徴付けられ、前記誤差は、平らな前面を有する別の光学的に透明な部材を使用して実施される、前記ボディの前記内圧の前記測定の対応する誤差のほぼ２倍の小ささである、請求項１３に記載の方法。
【請求項１５】
前記押し付けるステップの間に、前記シェルの前記一部分と前記湾曲した前面との間に、前記流体層の存在に起因して毛細管力を形成することを更に含み、
（ａ）前記毛細管力は、前記シェルの前記一部分と前記湾曲した前面との間の前記流体層のメニスカスにわたって平均された場合に約０．００２４Ｎを超えず、及び又は、
（ｂ）前記第１の毛細管力は、同じ測定条件下で、別の光学的に透明な部材の平らな前面を前記シェルの前記一部分に押し付けている間に、前記平らな前面と前記シェルの前記一部分との間の前記液体層の存在に起因して形成される第２の力より約３０パーセントから約４５パーセント小さい、
請求項１３又は１４に記載の方法。
【手続補正２】
【補正対象書類名】明細書
【補正対象項目名】０１５９
【補正方法】変更
【補正の内容】
【０１５９】
本開示に添付の特許請求項に記載された発明は、参照された、先行技術に開示の特徴を含む本開示全体を踏まえて評価されるべきものとする。従って、本発明は、開示された実施形態に限定されると見なされるべきではない。
〔付記１〕
ボディの内圧の測定の誤差を低減する光学系の使用であって、前記光学系は、前記測定中に前記ボディの表面に接触させられるように構成され、前記ボディの前記表面との間で光を行き来させるように構成された、湾曲した前面を有する光学的に透明な部材を含み、前記ボディは前記ボディの内部ボリュームを取り囲むシェルを有し、前記誤差は前記シェルの一部分に存在する流体層に起因し、前記測定は、
前記湾曲した前面の軸上部分を前記シェルの前記一部分に押し付けて、前記シェルに力を印加し、前記湾曲した前面と前記シェルの前記一部分との間に第１の接触表面積を画定するとともに、前記湾曲した前面が平らでないことの結果として、前記前面と前記シェルの前記一部分との間の平均接触角度を約２０度から約３５度の範囲内に保つステップであって、前記軸上部分は前記光学的に透明な部材の長手軸に対して中心合わせされている、前記押し付けるステップと、
前記湾曲した前面を２回横切り、前記第１の接触表面積から反射した光で形成された光学画像に基づいて前記内圧の値を評価するステップと、
を含む、
前記光学系の使用。
〔付記２〕
前記誤差は、前面が平らな別の光学的に透明な部材を使用して実施される、前記ボディの前記内圧の前記測定の対応する誤差のほぼ２倍の小ささである、付記１に記載の光学系の使用。
〔付記３〕
前記シェルの前記一部分と、前記ボディの前記内圧の前記測定中に前記シェルの前記一部分と接触している、光学的に透明な部材の表面との間の前記流体層に起因する平均毛細管力が、前記湾曲した前面を有する前記光学的に透明な部材を使用することの結果として、平らな前面を有する別の光学的に透明な部材を同じ測定条件下で使用する場合と比較して少なくとも約４１パーセント低減される、付記１及び２のいずれか一項に記載の光学系の使用。
〔付記４〕
以下の条件、即ち、
ａ）前記光学系は更に、前記湾曲した前面を有する前記光学的に透明な部材に関連付けられた光学プリズムの系を含み、前記光学プリズムは、互いに対して空間的に別個である２つの画像部分を含む前記光学画像を形成するように配置されており、前記画像部分の対応する端部同士が接触するか重なり合うのは、前記光学的に透明な部材の軸と前記シェルの前記一部分の軸とが重なった場合だけであること、並びに
ｂ）前記光学的に透明な部材の前記湾曲した前面は、前記光学的に透明な部材の軸に対して回転対称であること
のうちの少なくとも１つが満たされる、
付記１、２、及び３のいずれか一項に記載の光学系の使用。
〔付記５〕
前記ボディは眼であり、前記光学的に透明な部材は眼圧計チップであり、以下の条件、即ち、
（ａ）前記光学的に透明な部材の前記長手軸を含む平面内に画定された前記湾曲した前面の断面輪郭のサグが約１８６ミクロンであること、並びに
（ｂ）前記長手軸を含む平面内に画定された前記湾曲した前面の半径方向輪郭の上限と前記長手軸との間の半径方向距離が約１．５３ｍｍであること
のうちの少なくとも１つが満たされる、
付記１〜４のいずれか一項に記載の光学系の使用。
〔付記６〕
前記湾曲した前面は周辺部分を含み、前記周辺部分は、前記軸上部分を円周方向に取り巻き、前記軸上部分と接線方向に融合する、付記１〜５のいずれか一項に記載の光学系の使用。
〔付記７〕
以下の条件、即ち、
（ｉ）前記軸上部分の曲率の正負と前記周辺部分の曲率の正負とが互いに反対であること、並びに
（ｉｉ）前記軸上部分の曲率の正負が前記シェルの前記一部分の曲率の正負と同じであること
のうちの少なくとも１つが満たされる、
付記６に記載の光学系の使用。
〔付記８〕
前記方法は更に、
前記押し付けるステップの間に、前記シェルの前記一部分と前記湾曲した前面との間に、前記流体層の存在に起因して毛細管力を形成することを含み、前記毛細管力は、前記シェルの前記一部分と前記湾曲した前面との間の前記流体層のメニスカスにわたって平均された場合に約０．００２４Ｎを超えない、
付記１〜７のいずれか一項に記載の光学系の使用。
〔付記９〕
前記方法は更に、
前記押し付けるステップの間に、前記シェルの前記一部分と前記湾曲した前面との間に、前記流体層の存在に起因して第１の毛細管力を形成することを含み、前記第１の毛細管力は、同じ測定条件下で、別の光学的に透明な部材の平らな前面を前記シェルの前記一部分に押し付けている間に、前記平らな前面と前記シェルの前記一部分との間の前記液体層の存在に起因して形成される第２の力より約３０パーセントから約４５パーセント小さい、
付記１〜７のいずれか一項に記載の光学系の使用。
〔付記１０〕
前記湾曲した前面は前記長手軸に対して回転対称である、付記１〜９のいずれか一項に記載の光学系の使用。
〔付記１１〕
ターゲットボディの内部ボリュームを取り囲む弾性変形可能なシェルを有する前記ターゲットボディの内圧を測定する方法であって、
前記方法は、流体層を載せている第１の光学的に透明な部材の前面の軸上部分を前記シェルの一部分に押し付けて、前記シェルに力を印加し、前記前面と前記シェルとの間に第１の接触表面積を画定するステップを含み、
前記第１の光学的に透明な部材は長手方向部材軸を有し、前記シェルの前記一部分はシェル軸を有し、
前記方法は、前記第１の光学的に透明な部材を２回透過して前記シェルから反射した光で前記第１の接触表面積の第１の光学画像を形成するステップであって、前記第１の光学画像は、互いに実質的に切り離されている第１及び第２の画像部分を含む、前記形成するステップを含み、
前記方法は、前記力を調節して、前記第１及び第２の部分の隣接する端部同士が接触するか重なり合う条件を達成するステップを含み、
前記軸上部分は前記長手方向部材軸に対して軸方向に中心合わせされ、前記シェルの前記一部分は前記シェル軸に対して軸方向に中心合わせされ、
前記条件が達成されるのは、前記長手方向部材軸と前記シェル軸とがほぼ重なった場合だけである、
方法。
〔付記１２〕
前記シェル軸と前記長手方向部材軸とがほぼ重なった場合だけ前記条件が達成されるという結果が、前記前面が湾曲していて平らでないことによってもたらされる、付記１１に記載の方法。
〔付記１３〕
上記条件が達成されない場合には、前記前面を前記シェルの前記一部分に対して位置合わせし直して、前記調節するステップを繰り返すステップ
を更に含む、付記１１及び１２のいずれか一項に記載の方法。
〔付記１４〕
前記押し付けるステップは、前記前面の前記軸上部分を前記シェルの前記一部分に押し付けることを含み、前記前面の前記軸上部分は第１の曲率で湾曲しており、前記第１の曲率は曲率の第１の正負を有する、付記１１及び１３のいずれか一項に記載の方法。
〔付記１５〕
曲率の前記第１の正負は第２の正負と等しく、前記第２の正負は、前記シェルの前記一部分の第２の曲率の正負と等しい、付記１４に記載の方法。
〔付記１６〕
前記前面の半径方向輪郭の上限と前記長手方向部材軸との間の半径方向距離が約１．５３ｍｍである、付記１４及び１５のいずれか一項に記載の方法。
〔付記１７〕
前記長手方向部材軸を含む断面内での前記長手方向部材軸からの距離に応じて画定される、前記第１の光学的に透明な部材の前記前面の輪郭が、約１８６ミクロンのサグを有する頂点である前記軸上部分によって特徴付けられる、付記１４、１５、及び１６のいずれか一項に記載の方法。
〔付記１８〕
以下のステップ、即ち、
前記調節するステップの結果として前記第１の接触表面積を可逆的に変化させるステップのうちの少なくとも１つを更に含み、前記シェルの前記一部分は光学的に透明である、
付記１１〜１５のいずれか一項に記載の方法。
〔付記１９〕
前記前面が湾曲した前面として寸法設計されていて、前記隣接する端部同士が接触するか重なり合った時点で、前記第１の光学画像を使用して、前記内圧の第１の値を算出するステップであって、前記算出された第１の値は、基準値より小さい第１の誤差を含む、前記算出するステップを更に含み、
前記基準値は、平らな前面を有する第２の光学的に透明な部材を使用して、前記押し付けるステップ、前記形成するステップ、及び前記調節するステップを実施することによって前記内圧が測定される場合に、シェル剛性、シェル厚、シェル曲率、前記長手方向部材軸と前記シェル軸との間の位置合わせずれ、及び前記湾曲した前面と前記シェルの前記一部分との間に流体層が存在することの少なくともいずれかに起因する第２の誤差の値である、
付記１１〜１８のいずれか一項に記載の方法。
〔付記２０〕
前記第１の誤差と前記基準値との差の原因が、少なくとも１つには、前記流体層によって引き起こされた毛細管力が、前記湾曲した前面と前記シェルの表面との間に或る接触角度が形成された結果として最大４５％低減されることであり、前記接触角度は約２０度から約３０度の範囲にある、付記１９に記載の方法。
〔付記２１〕
前記第１の光学部材の前記前面は更に、第３の曲率を有する周辺領域を含み、前記第３の曲率は、曲率の前記第１の正負とは反対の、曲率の第３の正負を有する、付記１４に記載の方法。
〔付記２２〕
前記周辺領域は、前記軸上領域を円周方向に取り巻き、前記前面に画定された閉曲線に沿って前記軸上領域と接線方向に融合する、付記２１に記載の方法。
〔付記２３〕
前記ボディは眼であり、前記シェルの前記一部分は角膜であり、前記第１の光学的に透明な部材は、湾曲していて平らでない角膜接触面を有する眼圧計チップである、付記２１〜２２のいずれか一項に記載の方法。
〔付記２４〕
湾曲した前面を有する光学的に透明な部材を使用してボディの内圧の測定の誤差を低減する方法であって、前記誤差は、前記ボディの表面に存在する流体層に起因し、前記ボディは、前記ボディの内部ボリュームを取り囲むシェルを有し、前記測定は、
前記湾曲した前面の軸上部分を、前記流体層を保持する、前記シェルの一部分に押し付けて、前記シェルに力を印加し、前記湾曲した前面と前記シェルの前記一部分との間に第１の接触表面積を画定するとともに、前記湾曲した前面が平らでないことの結果として、前記前面と前記シェルの前記一部分との間の平均接触角度を約２０度から約３５度の範囲内に保つステップであって、前記軸上部分は前記光学的に透明な部材の長手軸に対して中心合わせされている、前記押し付けるステップと、
前記湾曲した前面を２回横切り、前記第１の接触表面積から反射した光で形成された光学画像に基づいて前記内圧の値を評価するステップと、
を含む、
方法。
〔付記２５〕
前記内圧の導出された値は前記誤差によって特徴付けられ、前記誤差は、平らな前面を有する別の光学的に透明な部材を使用して実施される、前記ボディの前記内圧の前記測定の対応する誤差のほぼ２倍の小ささである、付記２４に記載の方法。
〔付記２６〕
前記押し付けるステップの間に、前記シェルの前記一部分と前記湾曲した前面との間に、前記流体層の存在に起因して毛細管力を形成することを更に含み、前記毛細管力は、前記シェルの前記一部分と前記湾曲した前面との間の前記流体層のメニスカスにわたって平均された場合に約０．００２４Ｎを超えない、
付記２４及び２５のいずれか一項に記載の方法。
〔付記２７〕
前記押し付けるステップの間に、前記シェルの前記一部分と前記湾曲した前面との間に、前記流体層の存在に起因して第１の毛細管力を形成することを更に含み、前記第１の毛細管力は、同じ測定条件下で、別の光学的に透明な部材の平らな前面を前記シェルの前記一部分に押し付けている間に、前記平らな前面と前記シェルの前記一部分との間の前記液体層の存在に起因して形成される第２の力より約３０パーセントから約４５パーセント小さい、
付記２４及び２５のいずれか一項に記載の方法。
〔付記２８〕
前記光学的に透明な部材の前記湾曲した前面は、前記光学的に透明な部材の軸に対して回転対称であり、
前記ボディは眼であり、前記光学的に透明な部材は眼圧計チップであり、前記光学的に透明な部材の前記軸を含む平面内に画定された前記湾曲した前面の断面輪郭のサグが約１８６ミクロンである、
付記２４〜２７のいずれか一項に記載の方法。
〔付記２９〕
眼圧の測定の誤差を低減する光学系の使用であって、前記光学系は、前記測定中に眼の角膜に接触させられるように構成された、長手軸及び湾曲した前面を有する眼圧計チップを含み、前記眼圧計チップは、前記角膜との間で光を行き来させるように構成されており、前記誤差は前記角膜にある涙液層に起因し、前記測定は、
前記湾曲した前面の軸上部分を前記角膜に押し付けて、前記角膜に力を印加し、前記湾曲した前面と前記角膜との間に第１の接触表面積を画定するステップであって、前記軸上部分は前記長手軸に対して中心合わせされている、前記押し付けるステップと、
前記角膜と前記湾曲した前面との間に、前記涙液層の存在に起因して第１の毛細管力を形成するステップであって、前記第１の毛細管力は、同じ測定条件下で、別の光学的に透明な部材の平らな前面を前記角膜に押し付けている間に、前記平らな前面と前記角膜との間の前記涙液層の存在に起因して形成される第２の毛細管力より約３０パーセントから約４５パーセント小さい、前記形成するステップと、
前記湾曲した前面を２回横切り、前記角膜から反射した光で形成された光学画像に基づいて前記眼圧の値を評価するステップと、
を含む、
前記光学系の使用。
〔付記３０〕
前記押し付けるステップは、前記第１の接触表面積を形成するとともに、前記湾曲した前面が平らでないことの結果として、前記前面と前記シェルの前記一部分との間の平均接触角度を約２０度から約３５度の範囲内に保つステップを含む、付記２９に記載の光学系の使用。
〔付記３１〕
前記軸上部分は前記長手軸に対して回転対称である、付記２９及び３０のいずれか一項に記載の光学系の使用。
〔付記３２〕
前記湾曲した前面は周辺部分を更に含み、前記周辺部分は、前記軸上部分を円周方向に取り巻き、前記軸上部分と接線方向に融合する、付記２９〜３１のいずれか一項に記載の光学系の使用。
〔付記３３〕
以下の条件、即ち、
（ｉ）前記軸上部分の曲率の正負と前記周辺部分の曲率の正負とが互いに反対であること、並びに
（ｉｉ）前記軸上部分の曲率の正負が前記角膜の前記一部分の曲率の正負と同じであること
のうちの少なくとも１つが満たされる、
付記３２に記載の光学系の使用。
〔付記３４〕
以下の条件、即ち、
（ａ）前記光学的に透明な部材の前記長手軸を含む平面内に画定された前記湾曲した前面の断面輪郭のサグが約１８６ミクロンであること、並びに
（ｂ）前記長手軸を含む平面内に画定された前記湾曲した前面の半径方向輪郭の上限と前記長手軸との間の半径方向距離が約１．５３ｍｍであること
のうちの少なくとも１つが満たされる、
付記２９〜３３のいずれか一項に記載の光学系の使用。